(57)【要約】【課題】  吹きつける風の方向を支柱の長軸方向を法線とする平面に投影した方向成分と防雪板の法線との角度が大きくても、長い視程を確保できる防雪柵用整流装置を提供すること。【解決手段】  防雪柵用整流装置１は、間隔を置いて立設された支柱２１の間に防雪板２２を架設した防雪柵２の風上側に設けられる枠体１１と、枠体１１に取り付けられ、防雪板２２に吹きつける風の方向を変える整流板１２とを備え、整流板１２は、防雪板２２に対して斜めに吹きつける風の方向を防雪柵２の上端近傍へと変えることができるようになっている。【選択図】  図１
2009209655.tif 000002
【特許請求の範囲】
【請求項１】
間隔を置いて立設された支柱の間に防雪板を架設した防雪柵の風上側に設けられる枠体と、
枠体に取り付けられ、防雪柵に吹きつける風の方向を変える整流板とを備え、
整流板は、防雪板に対して斜めに吹きつける風の方向を防雪柵の上端近傍へと変えることを特徴とする防雪柵用整流装置。
【請求項２】
枠体は、防雪柵の道路と反対側に設けられることを特徴とする請求項１に記載の防雪柵用整流装置。
【請求項３】
枠体は、防雪柵の支柱に取り付けられることを特徴とする請求項１又は２に記載の防雪柵用整流装置。
【請求項４】
整流板は、防雪板から所定間隔空けた位置に設けられていることを特徴とする請求項１乃至３のいずれかに記載の防雪柵用整流装置。
【請求項５】
整流板が枠体に着脱自在になっており、枠体が整流板を外した状態では支柱に沿って折りたたみ可能になっていることを特徴とする請求項１乃至４のいずれかに記載の防雪柵用整流装置。
【請求項６】
整流板は、山と谷が平行に並んでいる波板からなり、山及び谷の延びる方向の延長線が防雪柵の上端近傍へ向かうように枠体に取り付けられていることを特徴とする請求項１乃至５のいずれかに記載の防雪柵用整流装置。
【請求項７】
整流板の山及び谷の延びる方向を支柱の長軸方向を法線とする平面に投影した第一方向成分は、地面に対して略垂直な防雪板の法線と所定の角度をなしていることを特徴とする請求項６に記載の防雪柵用整流装置。
【請求項８】
整流板の山及び谷の延びる方向を防雪板の幅方向を法線とする平面に投影した第二方向成分は、地面に対して略垂直な防雪板の法線と所定の角度をなしていることを特徴とする請求項６又は７に記載の防雪柵用整流装置。
【発明の詳細な説明】
【技術分野】
【０００１】
本発明は、道路や鉄道等に沿って設けられた防雪柵に取り付けられる整流装置に関するものであり、特に防雪板に対して斜めに吹きつける風に対応できる整流装置に関する。
【背景技術】
【０００２】
従来、冬期における道路等への積雪量を軽減しかつ視程障害を緩和するために、道路等に沿って設けられた防雪柵が知られている。
このような防雪柵として、特許文献１に記載の防雪柵１００がある。
【０００３】
防雪柵１００は、図９に示すように、道路に沿って所定間隔ごとに支柱１０１を立設し、支柱１０１間に防雪板１０２を配置したものである。
防雪板１０２の上部を整流部１０３とし、整流部１０３に路面上に向けて上向き傾斜の整流板１０４を設け、整流板１０４は上下に配置した複数枚で構成されている。
【０００４】
上向きに傾斜する整流板１０４が吹雪を吹き上げて遠くへ流れるようにすることができるので、道路の路面等における視程を確保するものである。
【特許文献１】特開２００５−２９０９１１
【発明の開示】
【発明が解決しようとする課題】
【０００５】
このような防雪柵１００は、図１０（ａ）の斜視図に示すように吹きつける風１０５の方向を支柱１０１の長軸方向を法線とする平面に投影した方向成分１０５Ａと防雪板の法線１０６との角度θ３が４５度程度以下である場合、図１１（ａ）の断面図に示すように整流板１０４が吹雪を吹き上げて遠くへ流すことができるので、道路の路面等における視程が長くなる。
しかしながら、防雪柵１００は、図１０（ｂ）の斜視図に示すように吹きつける風１０５の方向を支柱１０１の長軸方向を法線とする平面に投影した方向成分１０５Ａと防雪板の法線１０６との角度θ３が４５度程度以上である場合、図１１（ｂ）に示すように整流板１０４が吹雪を吹き上げて遠くへ流すことができなくなり、道路の路面等における視程が短くなるという問題がある。
さらに、整流板１０４が吹雪を吹き上げて遠くへ流すことが出来ない場合、路面上に空気の渦が発生しやすくなる。空気の渦が発生すると路面に積もっている雪が舞い上がってしまい、さらに道路の路面等における視程が短くなるという問題がある。
【０００６】
上記点より本発明は、吹きつける風の方向を支柱の長軸方向を法線とする平面に投影した方向成分と防雪板の法線との角度が大きくても、長い視程を確保できる防雪柵用整流装置を提供することを目的とする。
【課題を解決するための手段】
【０００７】
上記課題を解決するため、請求項１の防雪柵用整流装置は、間隔を置いて立設された支柱の間に防雪板を架設した防雪柵の風上側に設けられる枠体と、枠体に取り付けられ、防雪柵に吹きつける風の方向を変える整流板とを備え、整流板は、防雪板に対して斜めに吹きつける風の方向を防雪柵の上端近傍へと変えるようになっている。
【０００８】
請求項２の防雪柵用整流装置は、枠体が防雪柵の道路と反対側に設けられるようになっている。
【０００９】
請求項３の防雪柵用整流装置は、枠体が防雪柵の支柱に取り付けられるようになっている。
【００１０】
請求項４の防雪柵用整流装置は、整流板が防雪板から所定間隔空けた位置に設けられている。
【００１１】
請求項５の防雪柵用整流装置は、整流板が枠体に着脱自在になっており、枠体が整流板を外した状態では支柱に沿って折りたたみ可能になっている。
【００１２】
請求項６の防雪柵用整流装置は、整流板が山と谷が平行に並んでいる波板からなり、山及び谷の延びる方向の延長線が防雪柵の上端近傍へ向かうように枠体に取り付けられている。
【００１３】
請求項７の防雪柵用整流装置は、整流板の山及び谷の延びる方向を支柱の長軸方向を法線とする平面に投影した第一方向成分は、地面に対して略垂直な防雪板の法線と所定の角度をなしている。
【００１４】
請求項８の防雪柵用整流装置は、整流板の山及び谷の延びる方向を防雪板の幅方向を法線とする平面に投影した第二方向成分は、地面に対して略垂直な防雪板の法線と所定の角度をなしている。
【発明の効果】
【００１５】
請求項１の防雪柵用整流装置によれば、整流板が防雪板に対して斜めに吹きつける風の方向を防雪柵の上端近傍へ変えることによって、風とともに雪を吹き上げて遠くへ流すことができるので、道路の路面等における視程を長くすることができる。
【００１６】
請求項２の防雪柵用整流装置によれば、枠体が防雪柵の道路と反対側に設けられているので、走行の邪魔になることや、コントロールを失った車等が防雪柵用整流装置に衝突して被害が大きくなることを防止できる。
【００１７】
請求項３の防雪柵用整流装置によれば、枠体は、防雪柵の支柱に取り付けられることによって、防雪柵用整流装置が防雪柵の支柱によって強固に支持されるので、防雪板に対して斜めに吹きつける強い風にも対応することができる。
【００１８】
請求項３の防雪柵用整流装置によれば、整流板は、防雪板から所定間隔空けた位置に設けられていることによって、整流板が吹きつける風の方向を防雪柵の上端近傍へ方向を変える際に、吹きつける風の方向と防雪柵の上端を越える方向とのなす角度が小さくなる。したがって、急激に方向を変えることによる渦等の発生を防ぐことができ、整流板の風を吹き上げる効果を向上させることができる。
【００１９】
請求項４の防雪柵用整流装置によれば、枠体が整流板を外した状態では支柱に沿って折りたたみ可能になっているので、防雪柵が必要ない時期では、防雪柵用整流装置を収納することができる。
【００２０】
請求項５の防雪柵用整流装置によれば、整流板が山と谷が幅方向に平行に延びている波板からなることによって、吹きつける風の方向が山と谷に沿って変わりやすくなる。
さらに、山及び谷の延びる方向の延長線が防雪柵の上端近傍へ向かうように整流板が枠体に取り付けられていることによって、吹きつける風が防雪柵を越えて遠くに流すことができる。
【００２１】
請求項６の防雪柵用整流装置によれば、吹きつける風の支柱の長軸方向を法線とする平面に投影した成分が防雪板の法線と角度をなすような場合であっても、支柱の長軸方向を法線とする平面において、整流板が所定の角度に風の方向を変えることができる。
【００２２】
請求項７の防雪柵用整流装置によれば、吹きつける風の防雪板の幅方向を法線とする平面に投影した成分が防雪板の法線と角度をなすような場合であっても、防雪板の幅方向を法線とする平面において、整流板が所定の角度に風の方向を変え、防雪柵の上端近傍へ向って風が流れるようにすることができる。
【発明を実施するための最良の形態】
【００２３】
以下、本発明の一実施形態について図面に基づいて説明する。
図1は、本発明の防雪柵用整流装置１を取り付けた防雪柵２の断面図である。
図２は、本発明の防雪柵用整流装置１を取り付けた防雪柵２の正面図である。
図３は、本発明の防雪柵用整流装置１を取り付けた防雪柵２の平面図である。
【００２４】
防雪柵２は、道路等に沿って間隔を置いて立設された支柱２１の間に防雪板２２を架設してある。
防雪柵用整流装置１は、防雪柵２に取り付けられる枠体１１と、枠体１１に取り付けられ防雪柵２に吹きつける風の方向を変える整流板１２とを備えている。
整流板１２は、図１０に示したような防雪柵２の防雪板２２に対して斜めに吹きつける風の方向を防雪柵２の上端近傍へ変えることができるようになっている。
【００２５】
整流板１２が防雪板２２に対して斜めに吹きつける風の方向を防雪柵２の上端近傍へ変えることによって、風とともに雪を吹き上げて遠くへ流すことができるので、道路の路面等における視程を長くすることができる。
【００２６】
枠体１１は、防雪柵２の道路と反対側に設けられている。
枠体１１が防雪柵２の道路と反対側に設けられているので、走行の邪魔になることや、コントロールを失った車等が防雪柵用整流装置１に衝突して被害が大きくなることを防止できる。
【００２７】
また、枠体１１は、防雪柵２の支柱２１に接続部材１３を介して取り付けられている。枠体１１は、防雪柵２の支柱２１に取り付けられることによって、防雪柵用整流装置１が防雪柵２の支柱２１によって強固に支持されるので、防雪板２２に対して斜めに吹きつける強い風にも対応することができる。
【００２８】
枠体１１が防雪柵２の支柱２１に接続部材１３を介して取り付けられていることによって、枠体１１は防雪板２２から所定間隔空けた位置に設けられている（図４及び図５参照）。整流板１２は、防雪板２２から所定間隔空けた位置に設けられていることによって、整流板１２が吹きつける風の方向を防雪柵１１の上端を越える方向を変える際において、吹きつける風の方向と防雪柵１１の上端を越える方向とのなす角度が小さくなる。したがって、急激に方向を変えることによる渦等の発生を防ぐことができ、整流板１２の風を吹き上げる効果を向上させることができる。
【００２９】
枠体１１は、図４の枠体１１及び接続部材１３の正面図に示すように、接続部材１３の長軸方向と平行であって所定間隔をあけた２本の縦枠材１１ａ、１１ｂと２本の縦枠の間に架設されている３本の横枠材１１ｃ、１１ｄ、１１ｅからなる。
【００３０】
支柱２１に近い方の縦枠材１１ａは接続部材１３に固定されている。
この縦枠材１１ａと縦枠材１１ｂとの間に３本の横枠材１１ｃ、１１ｄ、１１ｅが架設されている。
横枠材１１ｃ、１１ｄ、１１ｅにはそれぞれ整流板１２が取り付けられるようになっている。
各整流板１２は枠体１１の横枠材１１ｃ、１１ｄ、１１ｅに着脱自在になっており図１〜図３、図６〜図８は整流板１２を取り付けた状態を示しており、図４及び図５は整流板１２を取り外した状態を示している。
【００３１】
枠体１１は、固定されている縦枠材１１ａに対して横枠材１１ｃ、１１ｄ、１１ｅが回動自在となっており、横枠材１１ｃ、１１ｄ、１１ｅに対して縦枠材１１ａが回動自在となっている。
したがって、枠体１１は図４の破線で示すように支柱２１に沿って折りたたみ可能になっている。
【００３２】
枠体１１が支柱２１に沿って折りたたみ可能になっているので、防雪柵２が必要ない時期では、防雪柵用整流装置１を収納することができる。
【００３３】
各整流板１２は山と谷が平行に並んでいる波板からなり、山及び谷の延びる方向の延長線が防雪柵２の上端近傍へ向うように枠体１１に取り付けられている。
【００３４】
整流板１２は山と谷が幅方向に平行に延びている波板からなることによって、吹きつける風の方向が山と谷に沿って変わりやすくなる。
さらに、山及び谷の延びる方向の延長線が防雪柵２の上端近傍へ向かうように整流板１２が枠体１１に取り付けられていることによって、吹きつける風を防雪柵２を越えて遠くに流すことができる。
【００３５】
図３に示すように、整流板１２の山及び谷の延びる方向を支柱２１の長軸方向を法線とする平面に投影した第一方向成分１２Ａ（一点鎖線）は、防雪板の法線２２Ａ（一点鎖線）と所定の角度θ１をなしている。
本実施形態ではθ１は６７．５度となっている。
【００３６】
吹きつける風の方向を支柱２１の長軸方向を法線とする平面に投影し方向成分が防雪板２２の法線と４５度以上の角度をなすような場合であっても、支柱２１の長軸方向を法線とする平面において、整流板１２が吹きつける風の方向を所定の角度に風の方向を変えることができる。
【００３７】
図１に示すように、整流板１２の山及び谷の延びる方向を防雪板２２の幅方向を法線とする平面に投影した第二方向成分１２Ｂ（一点鎖線）は、防雪板の法線２２Ａ（一点鎖線）と所定の角度θ２をなしている。
本実施形態ではθ２は７０度となっている。
【００３８】
吹きつける風の方向を防雪板２２の幅方向を法線とする平面に投影した成分が防雪板２２の法線と小さい角度をなすような場合であっても、防雪板２２の幅方向を法線とする平面において、整流板１２が吹きつける風の方向を所定の角度に風の方向を変え、防雪柵２の上端近傍へ向って風が流れるようにすることができる。
【００３９】
以下、整流板１２を枠体１１に取り付ける構成について詳細に説明する。
図６は、枠体１１に整流板１２を取り付けた状態を示す防雪柵用整流装置１の一部の正面図である。
図７は、枠体１１に整流板１２を取り付けた状態を示す防雪柵用整流装置１の一部の側面図である。
図８は、枠体１１に整流板１２を取り付けた状態を示す防雪柵用整流装置１の一部の底面図である。
図６に示すように、横枠材１１ｃ、１１ｄ、１１ｅには、略Ｕ字上の管体３１が取り付けられている。
【００４０】
図７に示すように、整流板１２の横枠材側の表面には、略Ω字状の取付具３２が取り付けられている。
整流板１２の横枠材側の表面と取付具３２との間で管体３１を挟持することによって、整流板１２が所定の角度で枠体１１に取り付けられている。
【００４１】
また、図７に示すように上下に位置する２枚の整流板１２、１２においては、振止材３３が上の整流板１２の下端と、下の整流板１２の上端とを連結している。
振止材３３を整流板１２、１２に取り付けることによって、各整流板１２に強い風が吹きつけても、各整流板１２が所定の角度を保つことができる。
【００４２】
本実施形態では、防雪柵用整流装置１は防雪柵２の支柱２１に取り付けられているが、これに限定されることなく、例えば、防雪柵２の風上側に防雪柵とは独立して防雪柵用整流装置を設けてもよい。
【００４３】
また、本実施形態では、防雪柵用整流装置１は防雪柵２の支柱２１に取り付けられているが、これに限定されることなく、防雪柵２の他の部分、例えば防雪板に取り付けられていてもよい。
【００４４】
また、本実施形態では、防雪柵用整流装置１は３枚の整流板１２を備えているが、これに限定されることなく、１枚若しくは複数枚の整流板を備えていてもよい。
【００４５】
また、本実施形態では、防雪柵用整流装置１は、θ１、θ２の角度がそれぞれ６７．５度、７０度となっているが、これに限定されることなく、防雪柵用整流装置１が設けられている場所における風向きに応じてθ１、θ２の角度を自由に変更してもよい。
【図面の簡単な説明】
【００４６】
【図１】本発明の防雪柵用整流装置１を取り付けた防雪柵２の断面図である。
【図２】本発明の防雪柵用整流装置１を取り付けた防雪柵２の正面図である。
【図３】本発明の防雪柵用整流装置１を取り付けた防雪柵２の平面図である。
【図４】支柱２１、枠体１１及び接続部材１３の正面図である。
【図５】支柱２１、枠体１１及び接続部材１３の平面図である。
【図６】枠体１１に整流板１２を取り付けた状態を示す防雪柵用整流装置の一部の正面図である。
【図７】枠体１１に整流板１２を取り付けた状態を示す防雪柵用整流装置の一部の側面図である。
【図８】枠体１１に整流板１２を取り付けた状態を示す防雪柵用整流装置の一部の底面図である。
【図９】従来の防雪柵１００の断面図である。
【図１０】防雪板に対して斜めに吹きつける風を方向成分に分解した斜視図である。
【図１１】風の流れる様子を示す断面図である。
【符号の説明】
【００４７】
１                      防雪柵用整流装置
２                      防雪柵
１１                    枠体
１１ａ、１１ｂ          縦枠材
１１ｃ、１１ｄ、１１ｅ  横枠材
１２                    整流板
１２Ａ                  第一方向成分
１２Ｂ                  第二方向成分
１３                    接続部材
２１                    支柱
２２                    防雪板
２２Ａ                  防雪板の法線
３１                    管体
３２                    取付具
３３                    振止材
１００                  防雪柵
１０１                  支柱
１０２                  防雪板
１０３                  整流部
１０４                  整流板
１０５                  吹きつける風
１０５Ａ                吹きつける風の投影した方向成分
１０６                  防雪板の法線
【図１】
2009209655.tif 000003
【図２】
2009209655.tif 000004
【図３】
2009209655.tif 000005
【図４】
2009209655.tif 000006
【図５】
2009209655.tif 000007
【図６】
2009209655.tif 000008
【図７】
2009209655.tif 000009
【図８】
2009209655.tif 000010
【図９】
2009209655.tif 000011
【図１０】
2009209655.tif 000012
【図１１】
2009209655.tif 000013